(57)【要約】【課題】簡易的な構成で逆止弁の故障を検出できる逆止弁ユニットを提供する。【解決手段】流体が流入する流入部５１、流体が流出する流出部５２、および流入部５１と流出部５２とを連通する流路５３を有する弁本体５４と、流路５３内に流体の流れ方向に移動可能に設けられ、流入部５１側に移動した際には流路５３を閉塞し、流出部５２側に移動した際には流路５３を開放する弁体５５と、弁体５５を流出部５２から流入部５１に向けて付勢する付勢手段（図示略）と、弁体５５が流出部５２側に移動したことを検知する光センサ（受光部５７）とを備える逆止弁ユニット５０を採用する。【選択図】図１
2012026484.tif 000002
【特許請求の範囲】
【請求項１】
流体が流入する流入部、前記流体が流出する流出部、および前記流入部と前記流出部とを連通する流路を有する弁本体と、
前記流路内に前記流体の流れ方向に移動可能に設けられ、前記流入部側に移動した際には前記流路を閉塞し、前記流出部側に移動した際には前記流路を開放する弁体と、
前記弁体を前記流出部から前記流入部に向けて付勢する付勢手段と、
前記弁体が前記流出部側に移動したことを検知する移動検知手段とを備える逆止弁ユニット。
【請求項２】
前記移動検知手段が、前記弁体の移動方向に交差する方向に光軸を向けて前記弁本体に設けられた光センサである請求項１に記載の逆止弁ユニット。
【請求項３】
前記移動検知手段が、前記弁本体内に設けられ、前記弁体からの押圧力を検知する圧力センサである請求項１に記載の逆止弁ユニット。
【請求項４】
前記移動検知手段が、前記弁本体内に設けられ、前記弁体の移動により押圧される押圧ボタンである請求項１に記載の逆止弁ユニット。
【請求項５】
請求項１から請求項４のいずれかに記載の逆止弁ユニットと、
前記流体を送るポンプと、
前記逆止弁ユニットと前記ポンプとを接続する配管と、
前記移動検知手段による前記弁体の移動を検知している時間、前記配管の断面積、および前記ポンプの回転数から規定される前記流体の流速に基づいて、前記流体の流量を算出する流量算出部とを備える流体供給システム。
【発明の詳細な説明】
【技術分野】
【０００１】
本発明は、逆止弁ユニットおよび流体供給システムに関するものである。
【背景技術】
【０００２】
従来、ポンプにて流体を増圧してなる流体の供給システムにおいて、ポンプの直前の流路を二股に分岐させ、各分岐路に逆止弁と開閉制御弁を配備し、この逆止弁を挟んで流体の圧力を検出するセンサを備える逆止弁故障探知システムが知られている（例えば、特許文献１参照）。
【０００３】
この逆止弁故障探知システムは、逆止弁を挟んで配置された２つのセンサの値の差を常に監視し、これらセンサが一定以上の差を持った場合に、逆止弁の異常として、開閉制御弁を閉じるようになっている。
【先行技術文献】
【特許文献】
【０００４】
【特許文献１】特開平８−１７８８０５号公報
【発明の概要】
【発明が解決しようとする課題】
【０００５】
しかしながら、上記の逆止弁故障探知システムは、各分岐路に流体の圧力を検出するセンサが必要であるため、システムが大規模なものとなり、その建設コストも増大してしまう。また、設置されるセンサは流体の圧力を検出するものであるため、各分岐路の流速や流量を計測することはできない。
【０００６】
本発明は上述した事情に鑑みてなされたものであって、簡易的な構成で逆止弁の故障を検出できる逆止弁ユニット、および、管路の流速および流量を測定できる流体供給システムを提供することを目的とする。
【課題を解決するための手段】
【０００７】
上記目的を達成するために、本発明は以下の手段を採用する。
本発明の第１の態様は、流体が流入する流入部、前記流体が流出する流出部、および前記流入部と前記流出部とを連通する流路を有する弁本体と、前記流路内に前記流体の流れ方向に移動可能に設けられ、前記流入部側に移動した際には前記流路を閉塞し、前記流出部側に移動した際には前記流路を開放する弁体と、前記弁体を前記流出部から前記流入部に向けて付勢する付勢手段と、前記弁体が前記流出部側に移動したことを検知する移動検知手段とを備える逆止弁ユニットである。
【０００８】
本発明の第１の態様によれば、流体が流路に流通していない状態では、流路内に設けられた弁体が、付勢手段により流出部から流入部に向けて付勢されている。そして、流体が流入部から流路に流入（正流）した場合には、流路内に設けられた弁体が、流体により押されて流入部側から流出部側に移動し、流路が開放されて流体が流通する。一方、流体が流出部から流路に流入（逆流）した場合には、流路内に設けられた弁体が、付勢手段および流体により流入部側に押し付けられて流路が閉塞され、流体の流通が抑止される。
【０００９】
流体が流入部から流路に流入（正流）している場合には、移動検知手段により、弁体が弁本体内において流出部側に移動したことが検知される。これにより、流路が開放されて流体が正常に流通していること、すなわち、逆止弁が正常に機能していることを検知することができる。また、流入部から流体が流入しているにも関わらず、移動検知手段により弁体が流出部側に移動したことが検知されない場合には、逆止弁の異常として検知することができる。また、流入部から流体が流入していないにも関わらず、移動検知手段により弁体が流出部側に移動したことが検知された場合には、逆止弁の異常として検知することができる。
【００１０】
上記態様において、前記移動検知手段が、前記弁体の移動方向に交差する方向に光軸を向けて前記弁本体に設けられた光センサであることとしてもよい。
このようにすることで、光センサからの光が反射または遮光されたことを、弁体が流出部側に移動して流路が開放されたこととして検知することができ、逆止弁が正常に機能していることや、逆止弁の異常を検知することができる。
【００１１】
上記態様において、前記移動検知手段が、前記弁本体内に設けられ、前記弁体からの押圧力を検知する圧力センサであることとしてもよい。
このようにすることで、圧力センサが弁体からの押圧力を検知したことを、弁体が流出部側に移動して流路が開放されたこととして検知することができ、逆止弁が正常に機能していることや、逆止弁の異常を検知することができる。
【００１２】
上記態様において、前記移動検知手段が、前記弁本体内に設けられ、前記弁体の移動により押圧される押圧ボタンであることとしてもよい。
このようにすることで、押圧ボタンが弁体の移動により押圧されたことを、弁体が流出部側に移動して流路が開放されたこととして検知することができ、逆止弁が正常に機能していることや、逆止弁の異常を検知することができる。
【００１３】
本発明の第２の態様は、上記の逆止弁ユニットと、前記流体を送るポンプと、前記逆止弁ユニットと前記ポンプとを接続する配管と、前記移動検知手段による前記弁体の移動を検知している時間、前記配管の断面積、および前記ポンプの回転数から規定される前記流体の流速に基づいて、前記流体の流量を算出する流量算出部とを備える流体供給システムである。
【００１４】
本発明の第２の態様によれば、流量算出部により、移動検知手段による弁体の移動を検知している時間、配管の断面積、およびポンプの回転数から規定される流体の流速に基づいて、流体の流量を算出することができる。また、前述の逆止弁ユニットを備えているため、逆止弁が正常に機能していることや、逆止弁の異常を検知することができる。
【発明の効果】
【００１５】
本発明によれば、簡易的な構成で逆止弁の故障を検出できるという効果を奏する。また、本発明によれば、管路の流速および流量を測定できるという効果を奏する。
【図面の簡単な説明】
【００１６】
【図１】本発明の一実施形態に係る逆止弁ユニットの概略構成図である。
【図２】図１の変形例に係る逆止弁ユニットの概略構成図である。
【図３】本発明の適用例に係る細胞処理装置の全体構成図である。
【発明を実施するための形態】
【００１７】
本発明の一実施形態に係る逆止弁ユニット５０について、図面を参照して以下に説明する。
本実施形態に係る逆止弁ユニット５０は、図１に示されるように、円筒形状の弁本体５４と、弁本体５４内に配置された弁体５５と、弁本体５４の半径方向内方に光軸を向けて配置された発光部５６と、発光部５６からの光を受光する受光部（移動検知手段）５７と、受光部５７からの信号が入力されるコントローラ５８とを備えている。
【００１８】
弁本体５４は、弁体５５を収容する筒状部材であり、流体が流入する流入部５１と、流体が流出する流出部５２と、流入部５１と流出部５２とを連通する流路５３とを有している。
【００１９】
弁体５５は、弁本体５４内に配置された球状部材であり、弁本体５４の流路５３内に流体の流れ方向（弁本体５４の軸線方向）に移動可能に設けられている。
弁体５５は、流入部５１に嵌合する大きさであり、弁体５５が流入部５１側に移動した際には、流路５３を閉塞するようになっている。一方、流路５３の流出部５２側には、弁体５５が流出部５２側に移動した際に、流入部５１と流出部５２とを連通する連通路（図示略）が形成されている。これにより、弁体５５が流入部５１側に移動した際には流路５３を閉塞する一方、弁体５５が流出部５２側に移動した際には連通路（図示略）を介して流路５３を開放するようになっている。
【００２０】
弁体５５は、図示しないバネ等の付勢手段により、流路５３内において流出部５２から流入部５１に向けて（図１において右方向）付勢されている。これにより、流体が流路５３に流通していない状態では、流路５３内に設けられた弁体５５が、付勢手段により流出部５２から流入部５１に向けて付勢されている。そして、流体が流入部５１から流路５３に流入した場合には、流路５３内に設けられた弁体５５が、流体により押されて流入部５１側から流出部５２側に移動し、連通路（図示略）を介して流路５３が開放されて流体が流通するようになっている。一方、流体が流出部５２から流路５３に流入（逆流）した場合には、流路５３内に設けられた弁体５５が、付勢手段および流体により流入部５１側に押し付けられて流路５３が閉塞され、流体の流通が抑止されるようになっている。
【００２１】
発光部５６と受光部５７は、弁体５５が流出部５２側に移動したことを検知するようになっている。具体的には、弁体５５が付勢手段および／または流体により流入部５１に向けて付勢されている状態では、発光部５６からの光が受光部５７により受光されている。一方、弁体５５が流体により流出部５２に移動している状態では、弁体５５により発光部５６からの光が遮光され、受光部５７は発光部５６からの光を受光しない。
【００２２】
コントローラ５８は、内部タイマー（図示略）を有しており、逆止弁ユニット５０に流体を送るポンプ（図示略）の情報と、逆止弁ユニット５０とポンプとを接続する配管（図示略）の情報と、受光部５７による発光部５６からの光の検知時間とに基づいて、逆止弁ユニット５０を流れる流体の流量を算出するようになっている。具体的には、コントローラ５８は、ポンプの回転数から規定される流体の流速と、配管の断面積と、受光部５７による発光部５６からの光を検知していない時間（すなわち、弁体５５が流出部５２側に移動して流路５３が開放されている時間）とを乗算することで、逆止弁ユニット５０を流れる流体の流量を算出するようになっている。
【００２３】
上記構成を有する逆止弁ユニット５０の作用について以下に説明する。
前述のように、本実施形態に係る逆止弁ユニット５０によれば、流体が流路５３に流通していない状態では、流路５３内に設けられた弁体５５が、付勢手段により流出部５２から流入部５１に向けて付勢されている。そして、流体が流出部５２から流路５３に流入（逆流）した場合には、流路５３内に設けられた弁体５５が、付勢手段および流体により流入部５１側に押し付けられて流路５３が閉塞され、流体の流通が抑止される。一方、流体が流入部５１から流路５３に流入した場合には、流路５３内に設けられた弁体５５が、流体により押されて流入部５１側から流出部５２側に移動し、流路５３が開放されて流体が流通する。
【００２４】
流体が流入部５１から流路５３に流入した場合において、発光部５６および受光部５７により、弁体５５が弁本体５４内において流出部５２側に移動したことが検知される。これにより、流路５３が開放されて流体が正常に流通していること、すなわち、逆止弁が正常に機能していることを検知することができる。また、流入部５１から流体が流入しているにも関わらず、発光部５６および受光部５７により弁体５５が流出部５２側に移動したことが検知されない場合には、逆止弁の異常として検知することができる。また、流入部５１から流体が流入していないにも関わらず、発光部５６および受光部５７により弁体５５が流出部５２側に移動したことが検知された場合には、逆止弁の異常として検知することができる。
【００２５】
［変形例］
以下に、本実施形態に係る逆止弁ユニット５０の変形例について説明する。前述の実施形態に係る逆止弁ユニット５０と共通する部分については同一の符号を付して説明を省略し、異なる部分について主に説明する。
【００２６】
本変形例に係る逆止弁ユニット６０は、図２に示されるように、円筒形状の弁本体５４と、弁本体５４内に配置された弁体５５と、弁本体５４内に配置された押圧ボタン６１と、押圧ボタン６１からの信号が入力されるコントローラ５８とを備えている。
【００２７】
押圧ボタン６１は、弁本体５４の流路５３内に配置されており、弁体５５の移動方向に押圧されることで、弁体５５が流出部５２側に移動したことを検知するようになっている。具体的には、弁体５５が付勢手段および／または流体により流入部５１に向けて付勢されている状態では、押圧ボタン６１は押圧されていない。一方、弁体５５が流体により流出部５２に移動している状態では、弁体５５により押圧ボタン６１が押圧されるようになっている。
【００２８】
このようにすることで、押圧ボタン６１が弁体５５の移動により押圧されたことを、弁体５５が流出部５２側に移動して流路５３が開放されたこととして検知することができ、逆止弁が正常に機能していることや、逆止弁の異常を検知することができる。
【００２９】
なお、本変形例に係る逆止弁ユニット６０において、押圧ボタン６１に代えて、弁体５５からの押圧力を検知する圧力センサ６２を備えることとしてもよい。
このようにすることで、圧力センサ６２が弁体５５からの押圧力を検知したことを、弁体５５が流出部５２側に移動して流路５３が開放されたこととして検知することができ、逆止弁が正常に機能していることや、逆止弁の異常を検知することができる。
【００３０】
［適用例］
本実施形態に係る逆止弁ユニットを細胞処理装置に適用した例について、図面を参照して以下に説明する。ここでは、一例として、逆止弁ユニット５０を細胞処理装置に適用した例について説明する。
【００３１】
本適用例に係る細胞処理装置１は、図３に示されるように、生体組織、例えば、脂肪組織を消化酵素とともに収容して攪拌する分解処理部２と、該分解処理部２による分解処理の結果、脂肪組織から脂肪由来細胞を単離して得られた細胞懸濁液を濃縮する細胞濃縮部３と、該細胞濃縮部３において濃縮された脂肪由来細胞を洗浄するための洗浄液を貯留する洗浄液収容部４と、前記細胞濃縮部３における濃縮処理（洗浄処理を含む）において排出された廃液を収容する廃液回収部５と、これらを接続する搬送路（配管）６と、搬送路（配管）６に設けられた逆止弁ユニット５０とを備えている。
【００３２】
前記分解処理部２には、分解処理容器２ａが備えられ、該分解処理容器２ａに、ヒトから採取した脂肪組織を分解処理部２内に導入する導入部７と、脂肪組織から単離された脂肪由来細胞を透過させ、脂肪組織の通過を禁止するフィルタ８とが備えられている。また、分解処理容器２ａには、該分解処理容器２ａの重量を計測する重量計２ｂが備えられている。
【００３３】
前記細胞濃縮部３は、図に示される例では、２つの遠心容器１０と、該遠心容器１０をその底面を半径方向外方に向けて回転させる遠心分離機１１（図においては継手部分のみを表示している）を備えている。
【００３４】
符号１２はベアリング、符号１３はシール部材、符号２１は上清を吸引する上清吸引部を示している。遠心容器１０には最終的に濃縮された脂肪由来細胞を採取するためのシリンジ１０ａが一体的に設けられている。
前記洗浄液収容部４は、洗浄液を収容する洗浄液容器（処理液容器）４ａと、該洗浄液容器４ａの重量を計測する重量計４ｂを備えている。また、前記廃液回収部５は、廃液を収容する廃液容器５ａと、該廃液容器５ａの重量を計測する重量計５ｂとを備えている。
【００３５】
前記細胞搬送路６は、前記分解処理部２、細胞濃縮部３、洗浄液収容部４および廃液回収部５を接続する複数のチューブ１４と、チューブ１４を外側から押して内部の液体に送りをかけるポンプ１５と、チューブ１４を分岐させる継手１６と、チューブ１４を各位置で開閉する複数のバルブＶ１〜Ｖ１２と、前記チューブ１４の途中位置に配置され細胞懸濁液の一部を取り出し可能なサンプルポート１７とを備えている。
【００３６】
また、前記各重量計２ｂ，４ｂ，５ｂの出力は、漏洩判定部１８に接続されている。漏洩判定部１８には判定結果を報知するスピーカ１９が備えられている。
漏洩判定部１８は、各重量計２ｂ，４ｂ，５ｂからの出力に基づいて、各部における漏洩の有無を判定するようになっている。漏洩判定部１８により漏洩が発生していると判定された場合には、スピーカ１９を介してその旨が外部に報知されるようになっている。
【００３７】
このように構成された本適用例に係る細胞処理装置１の作用について、以下に説明する。
本適用例に係る細胞処理装置１を用いて生体組織、例えば、脂肪組織を分解して細胞由来細胞を採取するには、まず、導入部７を介して分解処理部２の分解処理容器２ａ内に供給された脂肪組織量を検出する。
【００３８】
最初に、導入前の分解処理容器２ａの重量Ｗ１を重量計２ｂによって計測しておく。脂肪組織は、体液あるいは生理食塩水と混合された状態で導入部７から導入されるので、導入後の分解処理容器２ａの重量Ｗ２を重量計２ｂによって計測し、細胞搬送部６のバルブＶ２以外のバルブＶ３〜Ｖ１２を閉じ、ポンプ１５を正転させることにより、分解処理容器２ａ内の液体を排出した後の重量Ｗ３も重量計２ｂによって計測する。
【００３９】
脂肪組織の重量Ｗは、Ｗ＝Ｗ３−Ｗ１により算出することができる。
また、分解処理容器２ａ内の液体を排出する前に、廃液容器５ａの重量Ｗ４を重量計５ｂによって計測しておく。そして、廃液容器５ａ内に液体が排出された後にも廃液容器５ａの重量Ｗ５を重量計５ｂによって計測する。
【００４０】
漏洩判定部においては、分解処理容器２ａから排出された液体の重量Ｗ６を、Ｗ６＝Ｗ２−Ｗ３により算出する一方、廃液容器５ａに排出された液体の重量Ｗ７を、Ｗ７＝Ｗ５−Ｗ４により算出する。そして、重量Ｗ６と重量Ｗ７とを対比して、その比率が所定の閾値以下である場合には、漏洩判定部は、液体の漏洩が発生しているものとして、スピーカ１９を介してその旨を外部に報知する。重量Ｗ６，Ｗ７の比率が所定の閾値より大きく１に近い場合には、漏洩判定部は液体の漏洩が発生していないものと判定する。
【００４１】
次に、細胞処理装置１は、脂肪組織の洗浄処理を行う。
脂肪組織の洗浄処理においては、細胞搬送部６のバルブＶ２，Ｖ３，Ｖ５〜Ｖ９を閉じ、バルブＶ１，Ｖ４，Ｖ１０〜Ｖ１２を開放し、ポンプ１５を逆転させることにより、洗浄液収容部４の洗浄液容器４ａ内に貯留されている洗浄液を分解処理容器２ａ内に供給する。そして、分解処理容器２ａ内において、洗浄液と脂肪組織とを攪拌することにより、脂肪組織に付着している体液等を洗い流す。
【００４２】
その後、再度、細胞搬送部６のバルブＶ２以外のバルブＶ３〜Ｖ１２を閉じ、ポンプ１５を正転させることにより、ポンプ１５によって分解処理部２の分解処理容器２ａ内の洗浄液を吸引し、廃液容器５ａに排出する。
この場合において、分解処理容器２ａへの洗浄液の供給前後における洗浄液容器４ａの重量Ｗ８，Ｗ９および、廃液容器５ａへの洗浄液の排出前後における廃液容器５ａの重量Ｗ１０，Ｗ１１を計測する。
【００４３】
漏洩判定部１８においては、洗浄液容器４ａから供給された洗浄液の重量Ｗ１２を、Ｗ１２＝Ｗ８−Ｗ９により算出する一方、廃液容器５ａに排出された洗浄後の洗浄液の重量Ｗ１３を、Ｗ１３＝Ｗ１１−Ｗ１０により算出する。そして、重量Ｗ１３と重量Ｗ１２とを対比して、その比率が所定の閾値以下である場合には、漏洩判定部１８は、洗浄液の漏洩が発生しているものとして、スピーカ１９を介してその旨を外部に報知する。重量Ｗ１２，Ｗ１３の比率が所定の閾値より大きく１に近い場合には、漏洩判定部１８は洗浄液の漏洩が発生していないものと判定する。
【００４４】
次に、細胞処理装置１は、前記により検出された脂肪組織の重量Ｗに応じて定められた量の消化酵素液を、分解処理部２の分解処理容器２ａ内に供給し、加温しながら攪拌することにより、消化酵素によって脂肪組織を分解し、脂肪組織から脂肪由来細胞を単離させた細胞懸濁液を得る。
【００４５】
所定量の細胞懸濁液が得られた状態で、細胞搬送部６のバルブＶ２，Ｖ３，Ｖ５〜Ｖ７，Ｖ１０〜Ｖ１２を閉じ、バルブＶ１，Ｖ４，Ｖ８，Ｖ９を開放し、ポンプ１５を正転させることにより、ポンプ１５によって分解処理部２の分解処理容器２ａ内の細胞懸濁液を吸引し、細胞濃縮部３に供給する。
【００４６】
ここで、全ての細胞懸濁液が細胞濃縮部３に送られる前に、バルブＶ１を閉止してポンプ１５を逆転させることにより、チューブ１４内の細胞懸濁液を逆流させて、サンプルポート１７に送ることができる。そして、サンプルポート１７にシリンジを取り付けて吸引することにより、サンプルポート１７内の細胞懸濁液をシリンジ内に採取することができる。シリンジに採取された細胞懸濁液は、図示しない検査装置に送られて、例えば、ＡＴＰ検査およびＬＤＨ検査が行われる。
【００４７】
ＡＴＰ検査は、得られた細胞懸濁液にＡＴＰ測定試薬（キッコーマン製）を加えてＡＴＰ量を測定するもので、ＡＴＰ量は細胞数に比例するので、細胞懸濁液内の細胞数を測定することができる。また、微生物や菌類が混入すると極端にＡＴＰ量が増加するので、細菌等の混入を評価することも可能となる。
【００４８】
また、ＬＤＨ検査は、得られた細胞懸濁液にＬＤＨ測定試薬（和光純薬工業製）を加えてＬＤＨ量を測定するもので、ＬＤＨ量は細胞の損傷等のストレスに応じて増加するので、細胞のストレス状態を測定することができる。ＬＤＨは通常の細胞懸濁液では１００ＩＵ／Ｌ／３７℃を示すことがわかっている。また、ＬＤＨ活性に基づく細胞傷害性測定の試薬（例えば、和光純薬工業製ＬＤＨ−Ｃｙｔｏｔｏｘｉｃ Ｔｅｓｔ）を用いて細胞数（生死判定）を測定することもできる。
【００４９】
この後に、再度、バルブＶ１を開いてポンプ１５を正転させ、十分な量の細胞懸濁液が細胞濃縮部３に送られると、細胞濃縮部３においては、細胞懸濁液を遠心容器１０内に収容し、遠心分離機１１を作動させて遠心処理を施すことにより、細胞懸濁液内の比重の大きな脂肪由来細胞が遠心容器１０の底部に集められる。
【００５０】
この状態で、細胞搬送部６のバルブＶ１〜Ｖ５，Ｖ８〜Ｖ１０を閉じ、バルブＶ６，Ｖ７を開放し、ポンプ１５を逆転させることにより、遠心容器１０内に生成された上清を吸引して廃液回収部５の廃液容器５ａまで送る。上清が十分に廃液容器５ａまで送られることにより、遠心容器１０内には脂肪由来細胞のペレットおよび予め設定された量のわずかな上清が残る。このときの上清の液面位置は、吸引口の位置によって予め設定されている。
【００５１】
この後に、バルブＶ１〜Ｖ４，Ｖ６，Ｖ７，Ｖ１０を閉じ、バルブＶ５，Ｖ８，Ｖ９，Ｖ１１，Ｖ１２を開放し、ポンプ１５を正転させることにより、洗浄液収容部４の洗浄液容器４ａ内に貯留されている洗浄液を遠心容器１０内に供給し、遠心容器１０内に収容されている脂肪由来細胞および上清に混合して再懸濁する。
【００５２】
そして、洗浄液を供給して再懸濁する工程、遠心分離機１１の作動により脂肪由来細胞を遠心容器１０の底部に集める工程および上清を吸引して廃液回収部５の廃液容器５ａに廃棄する工程を繰り返すことにより、細胞懸濁液内の消化酵素の濃度を脂肪由来細胞にダメージを与えない程度に希釈する。
【００５３】
この場合において、洗浄液を供給し遠心処理し上清を排出する工程の繰り返しごとに、上清が吸引された状態で、洗浄液を遠心容器１０に供給する前の処理液容器４ａの重量Ｗ１４を重量計４ｂによって計測しておく。また、廃液容器５ａの重量Ｗ１５も重量計５ｂによって計測しておく。
【００５４】
そして、洗浄液容器４ａから所定量の洗浄液が遠心容器１０に供給された時点で、重量計４ｂによって洗浄液容器４ａの重量Ｗ１６を計測する。また、遠心処理後の上清が所定の位置まで吸引されて廃液容器５ａに排出された時点で、重量計５ｂによって廃液容器５ａの重量Ｗ１７を計測する。
【００５５】
漏洩判定部１８においては、洗浄液容器４ａから遠心容器１０に供給された洗浄液の重量Ｗ１８を、供給前後の洗浄液容器４ａの重量Ｗ１４，Ｗ１５の差により、Ｗ１８＝Ｗ１４−Ｗ１５として算出する。一方、廃液容器５ａに排出された上清の重量Ｗ１９を、Ｗ１９＝Ｗ１７−Ｗ１６により算出する。
【００５６】
そして、重量Ｗ１８と重量Ｗ１９とを対比して、その比率が所定の閾値以下である場合には、漏洩判定部１８は、液体の漏洩が発生しているものとして、スピーカ１９を介してその旨を外部に報知する。重量Ｗ１８，Ｗ１９の比率が所定の閾値より大きく１に近い場合には、漏洩判定部１８は液体の漏洩が発生していないものと判定する。
【００５７】
次に、遠心容器１０に一体的に設けられているシリンジ１０ａによって、遠心容器１０の底部に溜まっている脂肪由来細胞を吸引し、シリンジ１０ａを遠心容器１０から切り離すことにより、そのまま患部に搬送して移植することが可能となる。
【００５８】
上述した処理を行うにあたり、ポンプ１５により洗浄液を洗浄液容器４ａから分解処理容器２ａへ送液する際に、ポンプ１５の回転数（回転数から規定される洗浄液の流速）、チューブ１４の断面積、および逆止弁ユニット５０の受光部５７の発光部５６からの光が検知されない時間から洗浄液の流量が算出される。そして、重量計４ｂによって計測された洗浄液容器４ａの重量と、重量計２ｂによって計測された分解処理容器２ａの重量とを比較して配管系（搬送路６）からの漏れ等の異常を検知することができる。
【００５９】
以上、本発明の実施形態について図面を参照して詳述してきたが、具体的な構成はこの実施形態に限られるものではなく、本発明の要旨を逸脱しない範囲の設計変更等も含まれる。
例えば、上記の適用例において、細胞処理装置に逆止弁ユニット５０を細胞処理装置に適用した例について説明したが、逆止弁ユニット５０に代えて、逆止弁ユニット６０を適用してもよい。
また、本実施形態に係る逆止弁ユニット５０，６０を、ポンプや配管を有する細胞処理装置以外の流体供給システムに適用してもよい。
【符号の説明】
【００６０】
１  細胞処理装置
２ａ  分解処理容器（処理容器）
２ｂ，４ｂ，５ｂ  重量計
４ａ  洗浄液容器（処理液容器）
５ａ  廃液容器
１０  遠心容器（処理容器）
１４  チューブ（管路）
１５  ポンプ
１８  漏洩判定部
５０  逆止弁ユニット
５４  弁本体
５５  弁体
５６  発光部
５７  受光部（移動検知手段）
５８  コントローラ
６０  逆止弁ユニット
６１  押圧ボタン（移動検知手段）
６２  圧力センサ（移動検知手段）
【図１】
2012026484.tif 000003
【図２】
2012026484.tif 000004
【図３】
2012026484.tif 000005